(57)【要約】      （修正有）【課題】物品の固定位置に制約がなく、極めて簡便に使用することができる把持具を提供する。【解決手段】支持材１１と、一対の可動材１２、１３を備え、可動材は、それぞれ支持材を摺動自在に挿通させる挿通孔１２ａ、１３ａを上端部に有し、一方の可動材の下端には、前向きの押圧面１２ｂを設け、他方の可動材の下端には、押圧面に対向する押しねじ１５を付設し、挿通孔の天面前端、底面後端をそれぞれ支持材の上面、下面に係合することにより、支持材の長手方向の任意の位置にロック可能とした。【選択図】図１
2005262376.tif 000002
【特許請求の範囲】
【請求項１】
支持材と、一対の可動材とを備えてなり、該可動材は、それぞれ前記支持材を摺動自在に挿通させる挿通孔を上端部に有し、一方の前記可動材の下端には、前向きの押圧面を設け、他方の前記可動材の下端には、前記押圧面に対向する押しねじを付設し、前記各可動材は、前記挿通孔の天面前端、底面後端がそれぞれ前記支持材の上面、下面に係合することにより、前記支持材の長手方向の任意の位置にロック可能であることを特徴とする把持具。
【請求項２】
前記各可動材は、前記挿通孔の底面後端に代えて、前記挿通孔の下に設ける後向きの突出部の上面後端を前記支持材の下面に係合させることを特徴とする請求項１記載の把持具。
【請求項３】
前記突出部の上面には、前記支持材の下面に形成する係合歯に係合する係合歯を形成することを特徴とする請求項２記載の把持具。
【請求項４】
前記支持材の一端には、前記可動材の抜止めを設けることを特徴とする請求項１ないし請求項３のいずれか記載の把持具。
【発明の詳細な説明】
【技術分野】
【０００１】
この発明は、任意の物品を把持して固定するために使用する把持具に関する。
【背景技術】
【０００２】
棒状の誘導杆と、一対の締付片とを組み合わせる把持具が知られている（特許文献１）。
【０００３】
各締付片は、誘導杆を前後に挿通させることにより誘導杆に沿って前後に移動させることができ、誘導杆の一端には、押しねじ付きのストッパが固定されている。なお、押しねじから遠い側の締付片の背面側には、同様に誘導杆に沿って移動可能なロック用の駒が配置されている。
【０００４】
そこで、このものは、締付片の間隔を適当に開いて物品を挟み込み、ロック用の駒を利用して一方の締付片をロックし、押しねじを介して他方の締付片を前進させることにより、物品を締付片の間に強力に把持して固定することができる。
【特許文献１】実公昭２５−２１８号公報
【発明の開示】
【発明が解決しようとする課題】
【０００５】
かかる従来技術によるときは、押しねじ側の締付片は、押しねじの到達範囲に配置する必要があるから、物品は、誘導杆の一方に偏った位置にしか締付片によって固定することができず、固定位置が限定される上、ロック用の駒を使用して一方の締付片をロックするので、駒を紛失することがあるばかりでなく、使用方法が煩雑であるという問題があった。
【０００６】
そこで、この発明の目的は、かかる従来技術の問題に鑑み、一対の可動材の一方に押圧面を設け、他方に押しねじを付設することによって、物品の固定位置に制約がなく、極めて簡便に使用することができる把持具を提供することにある。
【課題を解決するための手段】
【０００７】
かかる目的を達成するためのこの発明の構成は、支持材と、一対の可動材とを備えてなり、可動材は、それぞれ支持材を摺動自在に挿通させる挿通孔を上端部に有し、一方の可動材の下端には、前向きの押圧面を設け、他方の可動材の下端には、押圧面に対向する押しねじを付設し、各可動材は、挿通孔の天面前端、底面後端がそれぞれ支持材の上面、下面に係合することにより、支持材の長手方向の任意の位置にロック可能であることをその要旨とする。
【０００８】
なお、各可動材は、挿通孔の底面後端に代えて、挿通孔の下に設ける後向きの突出部の上面後端を支持材の下面に係合させることができ、突出部の上面には、支持材の下面に形成する係合歯に係合する係合歯を形成することができる。
【０００９】
また、支持材の一端には、可動材の抜止めを設けてもよい。
【発明の効果】
【００１０】
かかる発明の構成によるときは、各可動材は、それぞれの挿通孔の天面前端、底面後端が支持材の上面、下面に係合することにより、支持材の長手方向の任意の位置にロック可能である。そこで、双方の可動材の間に挟み込む物品は、支持材に対し、任意の位置に固定することができ、固定位置に格別な制約がない。また、可動材は、ロック用の別部材を介することなく、それ自体でロックすることができるから、使用方法が簡便であり、ロック用の部材を紛失したりするおそれもない。なお、各可動材は、支持材に対してほぼ直角にロックし得るものとし、物品は、一方の可動材の押圧面と、他方の可動材の押しねじとの間に挟んで把持するものとする。また、支持材は、上面、下面が平行平面を形成する曲げ剛性が必要十分に大きい棒材であって、中実の角柱材、中空の角筒材、Ｉ形材などを使用することができる。
【００１１】
各可動材は、挿通孔の下に後向きの突出部を設け、突出部の上面後端を支持材の下面に係合させることにより、挿通孔を設ける上部の前後方向の寸法を小さくしても、必要十分な把持力を容易に実現することができる。すなわち、同等の把持力を実現するとして、各可動材の軽量化を図ることができる。
【００１２】
突出部の上面に係合歯を設け、支持材の下面の係合歯に係合させれば、各可動材は、摩擦力によって係合させる場合に比して、一層強力な把持力を容易に実現可能である。
【００１３】
支持材の一端に設ける抜止めは、不使用時における可動材の抜落ちを防止し、可動材の万一の紛失を有効に防止する。
【発明を実施するための最良の形態】
【００１４】
以下、図面を以って発明の実施の形態を説明する。
【００１５】
把持具は、支持材１１と、一対の可動材１２、１３とを備えてなる（図１、図２）。ただし、図２（Ａ）〜（Ｃ）は、それぞれ図１のＸ−Ｘ線、Ｙ−Ｙ線、Ｚ−Ｚ線矢視拡大断面図である。
【００１６】
支持材１１は、中実の角柱材であり、断面長方形の長辺側を左右に、短辺側を上下にして使用されている。支持材１１の一端には、ナット１１ｂを介し、可動材１２、１３の抜止め用のボルト１１ａが横向きに装着されている。ただし、ボルト１１ａ、ナット１１ｂは、可動材１２、１３の抜止めができればよく、支持材１１の一端に付設する適当なストッパに代えてもよい。また、支持材１１は、中空の角筒材であってもよく、Ｉ形材であってもよい。
【００１７】
一方の可動材１２は、支持材１１を挿通させる挿通孔１２ａを上端部に有し、前向きの押圧面１２ｂを下端に有する。挿通孔１２ａの天面は、前端から後端に向けて高く傾斜しており、挿通孔１２ａの底面は、前端から後端に向けて僅かに高く傾斜しているものとする。また、挿通孔１２ａの下には、後向きの突出部１２ｃが形成されており、突出部１２ｃの上面は、挿通孔１２ａの底面と連続している。支持材１１は、挿通孔１２ａを介して可動材１２の上端部を前後に摺動自在に挿通させることができる。ただし、ここでいう可動材１２の前後とは、それぞれ押圧面１２ｂの前面側、押圧面１２ｂの背面側をいうものとする。
【００１８】
他方の可動材１３の上端部には、可動材１２の挿通孔１２ａ、後向きの突出部１２ｃと対称形の挿通孔１３ａ、後向きの突出部１３ｃが形成されている。また、可動材１３の下端には、押圧面１２ｂに対向する押しねじ１５が付設されている。押しねじ１５の前端には、押圧面１２ｂと対称の揺動ヘッド１５ａが装着されており、後端には、握り１５ｂが付設されている。揺動ヘッド１５ａの背面側には、押しねじ１５の前端の小径の円板部１５ｃを収納するキャップ部１５ｄが形成されている（図３）。そこで、揺動ヘッド１５ａは、フリー状態において、キャップ部１５ｄ内の余裕隙間を介して上下左右に揺動可能である（同図の二点鎖線）。ただし、ここでいう可動材１３の前後とは、それぞれ押しねじ１５の揺動ヘッド１５ａ側、握り１５ｂ側をいうものとする。
【００１９】
支持材１１上の任意の位置において、可動材１２、１３の間隔を適当に開いてセットし、押圧面１２ｂ、揺動ヘッド１５ａの間に物品Ｗを挟み込んだ上（図１）、握り１５ｂを介し、押しねじ１５を回転して前進駆動すると、可動材１２、１３は、物品Ｗからの反発力Ａ、Ａによりそれぞれの下端が開く方向に力を受ける。そこで、可動材１３に着目すると、可動材１３は、挿通孔１３ａの天面前端が支持材１１の上面に係合し（図３の実線）、突出部１３ｃの上面後端が支持材１１の下面に係合することにより、支持材１１に対し、後退不能に自動的にロックすることができる。可動材１２についても全く同様であり、可動材１２、１３は、同時に自動的にロックされる。
【００２０】
したがって、以後、物品Ｗは、押しねじ１５による押圧力に従って、強力に把持して固定することができる。なお、可動材１２、１３は、このように物品Ｗを把持してロックされると、それぞれの前面側が支持材１１に対してほぼ直角になり（図１）、押圧面１２ｂ、押しねじ１５は、支持材１１と平行な軸線上に対向するものとする。
【００２１】
物品Ｗを解放するときは、押しねじ１５を緩めればよい。このとき、可動材１３は、下部を前方側に傾けることにより（図３の二点鎖線）、挿通孔１３ａ内の支持材１１がフリーになり、支持材１１に沿って前後に移動させることができる。可動材１２についても、全く同様である。
【００２２】
以上の説明において、可動材１２、１３は、押圧面１２ｂ、押しねじ１５を背向させるようにして支持材１１と組み合わせることもできる（図４）。物品Ｗの凹部Ｗ1 の両側を外向きに押し、物品Ｗからの反発力Ａ、Ａを可動材１２、１３の下端が閉じる方向に加えることにより、可動材１２、１３を同時に自動的にロックすることができる。
【他の実施の形態】
【００２３】
可動材１２、１３は、それぞれの中間部を後方に湾曲させてもよい（図５）。オーバハングＷ2 、Ｗ2 を有するような物品Ｗであっても、支障なく把持して固定することができる。なお、可動材１２、１３は、その双方を湾曲させるに代えて、必要に応じて一方のみを湾曲させてもよい。また、可動材１２、１３は、対称形に湾曲させるに代えて、非対称形に湾曲させてもよい。
【００２４】
可動材１３の後向きの突出部１３ｃの上面には、支持材１１の下面に形成する係合歯１１ｃ、１１ｃ…に係合する係合歯１３ｄ、１３ｄ…を形成することができる（図６）。なお、係合歯１３ｄ、１３ｄ…は、図６に図示するように、突出部１３ｃの後端を含む僅かの領域に対して少なくとも１歯以上を形成すればよいが、突出部１３ｃの上面の全部、または突出部１３ｃの上面から挿通孔１３ａの底面にかけて一様に形成してもよい。可動材１２についても、全く同様である。
【００２５】
また、可動材１２、１３は、それぞれの挿通孔１２ａ、１３ａの天面の前端を含む領域に対し、支持材１１の上面に形成する係合歯に係合する少なくとも１歯以上の係合歯を形成してもよい（図示せず）。
【００２６】
可動材１３は、挿通孔１３ａの底面後端を支持材１１の下面に係合させてもよい（図７）。このとき、挿通孔１３ａの下には、格別な突出部１３ｃが形成されておらず、したがって、可動材１３は、突出部１３ｃを設けるときは、突出部１３ｃの上面後端を支持材１１の下面に係合させ、突出部１３ｃを設けないときは、挿通孔１３ａの底面後端を支持材１１の下面に係合させればよい。可動材１２についても同様である。なお、このとき、挿通孔１２ａ、１３ａの底面後端を含む領域、天面前端を含む領域には、それぞれ支持材１１の下面、上面の係合歯に係合する係合歯を形成してもよい。
【００２７】
以上の説明において、可動材１２の押圧面１２ｂの前面には、滑止め用の小溝１２ｂ1 、１２ｂ1 …を形成してもよい（図８）。なお、小溝１２ｂ1 、１２ｂ1 …の形成パターンは、任意である（たとえば同図（Ａ）〜（Ｄ））。可動材１３側の揺動ヘッド１５ａの前面についても、同様である。
【図面の簡単な説明】
【００２８】
【図１】全体構成正面図
【図２】要部拡大断面説明図
【図３】要部拡大動作説明図
【図４】他の使用形態を示す図１相当図
【図５】他の実施の形態を示す図１相当図
【図６】他の実施の形態を示す要部拡大断面図（１）
【図７】他の実施の形態を示す要部拡大断面図（２）
【図８】他の実施の形態を示す要部拡大図
【符号の説明】
【００２９】
１１…支持材
１１ｃ…係合歯
１２、１３…可動材
１２ａ、１３ａ…挿通孔
１２ｂ…押圧面
１２ｃ、１３ｃ…突出部
１３ｄ…係合歯
１５…押しねじ
特許出願人          土  田  康  雄
代理人  弁理士      松  田  忠  秋
【図１】
2005262376.tif 000003
【図２】
2005262376.tif 000004
【図３】
2005262376.tif 000005
【図４】
2005262376.tif 000006
【図５】
2005262376.tif 000007
【図６】
2005262376.tif 000008
【図７】
2005262376.tif 000009
【図８】
2005262376.tif 000010